(57)【要約】 【課題】適切に締め固められたお握りを容易に取り出し得るお握り製造用具を提供する。【解決手段】２個の収容器２ａ，２ｂを、屈曲部３を介して開閉可能に連結する。収容器２ａ，２ｂは、基片５の一面側の外周縁の全周に亘って立壁６を突設してなる。基片５と立壁６との間で、ご飯等の食材を収容するための収容凹部９が形成される。立壁６を構成する両側部立壁１３，１３の夫々の上縁１７の高さを、先端に向けて徐々に大きくする。両収容器２ａ，２ｂを閉じるように折り曲げたとき、一方の収容器３ａの側部立壁１３ａ及び先端立壁１６ａが、他方の収容器３ｂの側部立壁１３ｂ及び先端立壁１６ｂの夫々の内側に重なる。一方の収容器３ａの側部立壁１６ａは、起立状態と開き状態との角度範囲で回動できる。【選択図】図１
2018134434.tif 000002
【特許請求の範囲】
【請求項１】
上端開放の２個の収容器が開閉可能に連結されてなるお握り製造用具であって、プラスチック成形で一体に形成されており、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されており、
該屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われる如くなされており、
又、両収容器は共に、前記基端立壁の両端から先側に向けて延長する両側部立壁の夫々の上縁の高さが、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、該一方の収容器が該他方の収容器内に進入するに伴い、両収容器に収容されている前記食材が該両収容器が形成する箱状収容体に拘束された状態で締め固められてお握りが製造される如くなされていることを特徴とするお握り製造用具。
【請求項２】
上端開放の２個の収容器が開閉可能に連結されてなるお握り製造用具であって、プラスチック成形で一体に形成されており、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されており、
該屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われる如くなされており、
又、片方の収容器の前記基端立壁の両端から先側に向けて延長する両側部立壁の夫々の上縁の高さは、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、該一方の収容器が該他方の収容器内に進入するに伴い、両収容器に収容されている前記食材が該両収容器が形成する箱状収容体に拘束された状態で締め固められてお握りが製造される如くなされていることを特徴とするお握り製造用具。
【請求項３】
上端開放の２個の収容器が開閉可能に連結されてなるお握り製造用具であって、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されており、又、両収容器は共に、前記基端立壁の両端から先側に向けて延長する両側部立壁の夫々の上縁の高さが、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、一方の収容器が他方の収容器内に進入するに伴い、両収容器に収容されている前記食材が該両収容器が形成する箱状収容体に拘束された状態で締め固められてお握りが製造される如くなされており、且つ、前記他方の収容器の前記側部立壁の内側及び前記先端立壁の内側に重なる該一方の収容器の前記先端立壁は、前記両側部立壁の先端相互を連結した起立状態と、少なくとも略９０度に開いた開き状態との角度範囲で、その下縁屈曲部で回動可能とされており、前記他方の収容器の前記両側部立壁の先端が前記先端立壁に一体に連結されており、前記両収容器を閉じるように前記屈曲部で折り曲げる際、該一方の収容器の起立状態にある前記先端立壁の先端が、前記他方の収容器の、前記両側部立壁と一体である前記先端立壁の内側の面に擦られてスライドしつつ前記屈曲部での折り曲げが生じるようになされており、該スライドの際、前記他方の収容器の前記先端立壁は、前記一方の収容器の起立状態にある前記先端立壁が受ける、前記食材を締め固める際の加圧に伴う反力を支持することを特徴とするお握り製造用具。
【請求項４】
上端開放の２個の収容器が開閉可能に連結されてなるお握り製造用具であって、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されており、又、片方の収容器の前記基端立壁の両端から先側に向けて延長する両側部立壁の夫々の上縁の高さは、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、一方の収容器が他方の収容器内に進入するに伴い、両収容器に収容されている前記食材が該両収容器が形成する箱状収容体に拘束された状態で締め固められてお握りが製造される如くなされており、且つ、前記他方の収容器の前記側部立壁の内側及び前記先端立壁の内側に重なる該一方の収容器の前記先端立壁は、前記両側部立壁の先端相互を連結した起立状態と、少なくとも略９０度に開いた開き状態との角度範囲で、その下縁屈曲部で回動可能とされており、前記他方の収容器の前記両側部立壁の先端が前記先端立壁に一体に連結されており、前記両収容器を閉じるように前記屈曲部で折り曲げる際、該一方の収容器の起立状態にある前記先端立壁の先端が前記他方の収容器の、前記両側部立壁と一体である前記先端立壁の内側の面に擦られてスライドしつつ前記屈曲部での折り曲げが生じるようになされており、該スライドの際、前記他方の収容器の前記先端立壁は、前記一方の収容器の起立状態にある前記先端立壁が受ける、前記食材を締め固める際の加圧に伴う反力を支持することを特徴とするお握り製造用具。
【請求項５】
前記お握り製造用具はプラスチック成形で一体に形成されており、前記屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われることを特徴とする請求項３又は４記載のお握り製造用具。
【請求項６】
前記お握り製造用具はプラスチック成形で一体に形成されており、前記屈曲部は、両収容器の前記基端立壁の外面上端で外方に向けて突設された突出部を以って構成されており、該突出部は、その上面が前記基端立壁の上面と面一であり且つ外方に向けて漸次薄肉となる横断面三角形状部を呈しており、該横断面三角形状部の外端は、前記基端立壁の平面視での長さ方向と平行する直線状を呈し、該外端相互が一体に連結されており、前記両収容器の開閉は、前記屈曲部が前記突出部の前記直線状の外端を中心として屈曲することによって行われることを特徴とする請求項１〜４の何れかに記載のお握り製造用具。
【請求項７】
前記一方の収容器の前記先端立壁は、該先端立壁と前記両側部立壁とに設けた係合部の着脱可能の係合作用によって起立状態で保持されるようになされていることを特徴とする請求項３〜６の何れかに記載のお握り製造用具。
【請求項８】
前記一方の収容器の前記先端立壁を略９０度に開いた状態で、該先端立壁の上面が、スプーンのフラットな掬い部を前記一方の収容器の底面に向けてスライドさせ得るガイドとなることを特徴とする請求項３〜６の何れかに記載のお握り製造用具。
【請求項９】
前記一方の収容器及び／又は前記他方の収容器に、製造すべきお握りの表面に、具を収容する具収容凹部を形成するための凹部形成突部が設けられていることを特徴とする請求項１〜８の何れかに記載のお握り製造用具。
【発明の詳細な説明】
【技術分野】
【０００１】
本発明は、ご飯やポテト、おから等の食材を締め固めてお握りを製造することのできるお握り製造用具に関するものである。
【背景技術】
【０００２】
お握りの一般的な作り方は、所定量のご飯を手で握って三角形状や球形状等に形を整えるものであるが、勘でご飯の量を量り、勘で形状を整えることは意外と難しく、又、手にご飯が付着して手間が掛かる等の問題点があった。
【０００３】
そこで本出願人は前記問題点に鑑みて、適切に締め固められた見栄えのよいお握りを容易に製造できるお握り製造用具を特許文献１で提供した。
【０００４】
該お握り製造用具ａは、例えば図２７に示すように、向き合う基端立壁ｂ，ｂの上縁相互が屈曲部ｃで連結されてなる２個の収容器ｄ，ｄを具える場合、その両方又は片方の収容器に関して（図２７には、両方の収容器ｄ，ｄに関する場合が示されている）、両側部立壁ｅ，ｅの上縁ｆ，ｆの高さが、基端ｇから先端ｈに向けて徐々に大となるように構成されており、各収容器ｄ，ｄは、前記側部立壁ｅ，ｅの基端ｇ，ｇの高さよりも上側をなす加圧収容部を有していた。
【０００５】
かかる構成を有するお握り製造用具ａを用いて図２８に示すような四角形状の包装お握り（フイルム状物ｋで包装されたお握り）ｍを製造する要領を説明すれば、図２９、図３０に示すように、所要大きさにカットして形成された該フイルム状物ｋが被せられてなる前記収容凹部ｎ，ｎにご飯ｐを摺切り収容状態に収容して後、図３１に示すように、両収容凹部ｎ，ｎのご飯の上面ｑ，ｑがその全面に亘って当接状態となるように左右の収容器ｄ，ｄを閉じる方向に前記屈曲部ｃで折り曲げる。その後、両収容器ｄ，ｄを図３２に示すように前記屈曲部ｃで更に折り曲げると、前記内側の収容器ｄ１が前記外側の収容器ｄ２内に進入する。
【０００６】
この進入により、両収容器ｄ１，ｄ２に収容されているご飯ｐが両収容器が形成する箱状収容体ｒに拘束された状態で締め固められて、図３３に示すような前記包装お握りｍを製造できる。
【０００７】
その後、図３４に示すように何れか一方の収容器ｄ（例えば前記収容器ｄ１）を開き、他方の収容器ｄ（図３４においては収容器ｄ２）に存する、前記フイルム状物ｋによって包まれた包装お握りｍを他方の収容器ｄ２から取り出す。この取り出しは、お握りを包んでいる該フイルム状物ｋの縁部分を指で摘まんでお握りを引き上げることによって容易に行うことができる。
【０００８】
しかしながら、締め固められたお握りを前記収容器から取り出すためにフイルム状物ｋを用いなければならないことは、次のような問題を招来した。即ち、前記のようにフイルム状物ｋを、図２９に示すように、展開した両収容体ｄ１，ｄ２の前記両収容凹部ｎ，ｎに丁寧に被せなければならない面倒さが伴ったばかりか、所要大きさにカットされてなるフイルム状物ｋを用意しなければならない不経済があり、加えて、お握りから取り外されたフイルム状物ｋがゴミとなる問題もあった。
【先行技術文献】
【特許文献】
【０００９】
【特許文献１】特開２００６−１１５７４３号公報
【発明の概要】
【発明が解決しようとする課題】
【００１０】
本発明は、特許文献１に係るお握り製造用具を更に改良したものであり、従来は必要とされた前記フイルム状物を省略可能としながらも、適切に締め固められたお握りを前記収容器から容易に取り出すことができると共に、前記フイルム状物を用意しなければならないことによる不経済や、使用済みフイルム状物がゴミとなる問題も解決し得るお握り製造用具の提供を課題とするものである。
【課題を解決するための手段】
【００１１】
前記課題を解決するため本発明は以下の手段を採用する。
即ち本発明に係るお握り製造用具の第１の態様は、上端開放の２個の収容器が開閉可能に連結されてなるお握り製造用具であって、プラスチック成形で一体に形成されており、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されている。該屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われる如くなされている。又、両収容器は共に、前記基端立壁の両端から先側に向けて延長する両側部立壁の夫々の上縁の高さが、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、該一方の収容器が該他方の収容器内に進入するに伴い、両収容器に収容されている前記食材が該両収容器が形成する箱状収容体に拘束された状態で締め固められてお握りが製造される如くなされていることを特徴とするものである。
【００１２】
本発明に係るお握り製造用具の第２の態様は、上端開放の２個の収容器が開閉可能に連結されてなるお握り製造用具であって、プラスチック成形で一体に形成されており、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されている。該屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われる如くなされている。又、片方の収容器の前記基端立壁の両端から先側に向けて延長する両側部立壁の夫々の上縁の高さは、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、該一方の収容器が該他方の収容器内に進入するに伴い、両収容器に収容されている前記食材が該両収容器が形成する箱状収容体に拘束された状態で締め固められてお握りが製造される如くなされていることを特徴とするものである。
【００１３】
本発明に係るお握り製造用具の第３の態様は、上端開放の２個の収容器が開閉可能に連結されてなるお握り製造用具であって、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されており、又、両収容器は共に、前記基端立壁の両端から先側に向けて延長する両側部立壁の夫々の上縁の高さが、その基端では前記基端立壁の上縁の高さに略等しく設定され、且つ、先端に向けて高さが徐々に大となると共に、該両側部立壁の上縁の先端の高さは略等しく設定されている。両側部立壁の先端相互が先端立壁で連結され、該先端立壁の上縁の高さは、前記両側部立壁の上縁の先端の高さに略等しく設定されており、又、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大している。そして、一方の収容器が他方の収容器内に進入するに伴い、両収容器に収容されている前記食材が該両収容器が形成する箱状収容体に拘束された状態で締め固められてお握りが製造される如くなされており、且つ、前記他方の収容器の前記側部立壁の内側及び前記先端立壁の内側に重なる該一方の収容器の前記先端立壁は、前記両側部立壁の先端相互を連結した起立状態と、少なくとも略９０度に開いた開き状態との角度範囲で、その下縁屈曲部で回動可能とされており、前記他方の収容器の前記両側部立壁の先端が前記先端立壁に一体に連結されている。前記両収容器を閉じるように前記屈曲部で折り曲げる際、該一方の収容器の起立状態にある前記先端立壁の先端が、前記他方の収容器の、前記両側部立壁と一体である前記先端立壁の内側の面に擦られてスライドしつつ前記屈曲部での折り曲げが生じるようになされており、該スライドの際、前記他方の収容器の前記先端立壁は、前記一方の収容器の起立状態にある前記先端立壁が受ける、前記食材を締め固める際の加圧に伴う反力を支持することを特徴とするものである。
【００１４】
本発明に係るお握り製造用具の第４の態様は、上端開放の２個の収容器が開閉可能に連結されてなるお握り製造用具であって、該収容器は、基片の一面側の外周縁に所要高さの立壁が突設され、該基片と該立壁との間で、食材を収容する収容凹部が形成されると共に、該２個の収容器の向き合う基端立壁の上縁相互が屈曲部で連結されている。又、片方の収容器の前記基端立壁の両端から先側に向けて延長する両側部立壁の夫々の上縁の高さは、その基端では前記基端立壁の上縁の高さに略等しく設定され、且つ、先端に向けて高さが徐々に大となると共に、該両側部立壁の上縁の先端の高さは略等しく設定され、又、両側部立壁の先端相互が先端立壁で連結され、該先端立壁の上縁の高さは、前記両側部立壁の上縁の先端の高さに略等しく設定されている。そして、両収容器を閉じるように前記屈曲部で折り曲げたときに、一方の収容器の前記側部立壁及び前記先端立壁が他方の収容器の前記側部立壁の内側及び前記先端立壁の内側に重なり得るように、該他方の収容器のサイズが該一方の収容器に比して稍拡大しており、一方の収容器が他方の収容器内に進入するに伴い、両収容器に収容されている前記食材が該両収容器が形成する箱状収容体に拘束された状態で締め固められてお握りが製造される如くなされている。且つ、前記他方の収容器の前記側部立壁の内側及び前記先端立壁の内側に重なる該一方の収容器の前記先端立壁は、前記両側部立壁の先端相互を連結した起立状態と、少なくとも略９０度に開いた開き状態との角度範囲で、その下縁屈曲部で回動可能とされており、前記他方の収容器の前記両側部立壁の先端が前記先端立壁に一体に連結されており、前記両収容器を閉じるように前記屈曲部で折り曲げる際、該一方の収容器の起立状態にある前記先端立壁の先端が前記他方の収容器の、前記両側部立壁と一体である前記先端立壁の内側の面に擦られてスライドしつつ前記屈曲部での折り曲げが生じるようになされており、該スライドの際、前記他方の収容器の前記先端立壁は、前記一方の収容器の起立状態にある前記先端立壁が受ける、前記食材を締め固める際の加圧に伴う反力を支持することを特徴とするものである。
【００１５】
本発明に係るお握り製造用具の第５の態様は、前記第３又は前記第４の態様において、前記お握り製造用具はプラスチック成形で一体に形成されており、前記屈曲部は、両収容器の前記基端立壁の外面上端で外方に向けて突設された突出部の、該基端立壁の平面視での長さ方向と平行する直線状の外端相互を一体に連結して構成されており、該両収容器の開閉は、該屈曲部が前記突出部の前記直線状の外端を中心として屈曲することによって行われることを特徴とするものである。
【００１６】
本発明に係るお握り製造用具の第６の態様は、前記第３又は前記第４の態様において、前記お握り製造用具はプラスチック成形で一体に形成されており、該屈曲部は、両収容器の前記基端立壁の外面上端で外方に向けて突設された突出部を以って構成されており、該突出部は、その上面が前記基端立壁の上面と面一であり且つ外方に向けて漸次薄肉となる横断面三角形状部を呈しており、該横断面三角形状部の外端は、前記基端立壁の平面視での長さ方向と平行する直線状を呈し、該外端相互が一体に連結されており、前記両収容器の開閉は、前記屈曲部が前記突出部の前記直線状の外端を中心として屈曲することによって行われることを特徴とするものである。
【００１７】
本発明に係るお握り製造用具の第７の態様は、前記第３〜第６の何れかの態様において、前記一方の収容器の前記先端立壁は、該先端立壁と前記両側部立壁とに設けた係合部の着脱可能の係合作用によって起立状態で保持されるようになされていることを特徴とするものである。
【００１８】
本発明に係るお握り製造用具の第８の態様は、前記第３〜第６の何れかの態様において、前記一方の収容器の前記先端立壁を略９０度に開いた状態で、該先端立壁の上面が、スプーンのフラットな掬い部を前記一方の収容器の底面に向けてスライドさせ得るガイドとなることを特徴とするものである。
【００１９】
本発明に係るお握り製造用具の第９の態様は、前記第１〜８の何れかの態様において、前記一方の収容器及び／又は前記他方の収容器に、製造すべきお握りの表面に、具を収容する具収容凹部を形成するための凹部形成突部が設けられていることを特徴とするものである。
【発明の効果】
【００２０】
本発明は以下の如き優れた効果を奏する。
(1) 本発明に係るお握り製造用具は、上端解放の２個の収容器が屈曲部を介して開閉可能に連結されてなり、その一方の収容器の先端立壁を、起立状態と、少なくとも略９０度に開いた開き状態との角度範囲で回動可能としてなるため、該屈曲部での屈曲によって一方の収容器が他方の収容器内に進入するに伴い、両収容器に収容されているご飯等の食材が該両収容器が形成する箱状収容体に拘束された状態で締め固められ、全体が適切に締め固められたお握りを製造できるのは元より、その後に前記先端立壁を前記開き状態とすることにより、該お握りを、スプーン等を用いて該収容器から容易に取り出すことができる。
【００２１】
従って、製造されたお握りの取り出しに際して従来は必要とされた前記フイルム状物を省略できることとなり、お握りの製造が容易となる。又、このようにフイルム状物を省略できることから、これを用いることによる不経済や、フイルム状物がゴミとなる問題も解消できることとなる。
【００２２】
(2) 前記先端立壁を、着脱可能の係合作用によって起立状態で保持可能とする場合は、該先端立壁を起立状態にして構成された箱状の収容器に食材を収容して両収容器を閉じる際、この作業工程をより安定的に行うことができる。
【００２３】
(3) 前記一方の収容器の前記先端立壁を略９０度に開いた状態で、該先端立壁の上面が、スプーンのフラットな掬い部を前記一方の収容器の底面に向けてスライドさせ得るガイドとなるように構成する場合は、該掬い部を前記お握りの下面部と前記一方の収容器の底面との間に円滑に差し入れることができるため、該お握りの取り出しを容易に行うことができる。
【００２４】
(4) 前記両収容器又はその何れか一方に凹部形成突部を設ける場合は、両収容器が形成する箱状収容体に拘束された状態で具収容凹部を形成できるため、形状の安定した具収容凹部を所望位置に容易に形成できることとなる。これにより、各種の具を該具収容凹部に安定状態に収容できることになるのであるが、本発明によるときは、かかる具収容凹部の形態を崩すことなくお握りを収容器から容易に取り出すことができる。
【図面の簡単な説明】
【００２５】
【図１】本発明に係るお握り製造用具を示す斜視図である。
【図２】その先端立壁を開いた状態を示す斜視図である。
【図３】その両収容器にご飯を収容した状態を示す断面図である。
【図４】屈曲部で折り曲げてその両収容器を閉じた状態を、お握りが製造された状態で示す断面図である。
【図５】ご飯が収容された両収容器を屈曲部で折り曲げて、収容されたご飯の上面を略合わせた折り曲げ状態を示す断面図である。
【図６】両収容器を閉じた状態を示す断面図と平面図である。
【図７】両収容器を完全に折り曲げた状態を示す斜視図である。
【図８】製造されたお握りを示す斜視図である。
【図９】両収容器の折り曲げの途中段階を示す断面図である。
【図１０】先端立壁を開いてお握りをスプーンで取り出す様子を示す斜視図である。
【図１１】スプーンでお握りを取り出した状態を示す斜視図である。
【図１２】凹部形成突部を具えるお握り製造用具を説明する斜視図である。
【図１３】その両収容器にご飯を収容した状態を示す断面図である。
【図１４】両収容器に収容されたご飯の上面を近接状態としてなる両収容器の屈曲状態を示す断面図である。
【図１５】両収容器を更に折り曲げた状態を示す断面図である。
【図１６】両収容器の折り曲げによって製造されたしゃり玉を、両収容器が閉じた状態で示す断面図である。
【図１７】両収容器を開いて得られた、具収容凹部を具えるしゃり玉を示す斜視図と、その具収容凹部に具を収容してなる握り寿司を示す斜視図である。
【図１８】その後、先端立壁を開いて握り寿司をスプーンで取り出す様子を示す斜視図である。
【図１９】スプーンで握り寿司を取り出した状態を示す斜視図である。
【図２０】寿司酢ゼリーが下面部に付着されてなる握り寿司を製造する工程を説明する断面図である。
【図２１】一方の収容器の先端立壁が回動可能となされたお握り製造用具の他の態様を示す斜視図である。
【図２２】その両収容器を閉じてお握りを製造した状態を示す断面図と、製造された具収容凹部を具えるお握りを示す断面図である。
【図２３】両収容器にご飯を収容する他の態様を示す断面図と、その両収容器を屈曲部で折り曲げてしゃり玉を製造した状態を示す断面図である。
【図２４】着脱可能の係合によって先端立壁を起立状態で保持させる構成を説明する斜視図である。
【図２５】先端立壁に指掛け欠切部が設けられてなるお握り製造用具を、その展開状態で示す斜視図と、両収容器を屈曲部で折り曲げて閉じた状態を示す斜視図である。
【図２６】側部立壁の上縁の傾斜角度が異なる両収容器を具えるお握り製造用具を示す断面図である。
【図２７】従来のお握り製造用具を示す斜視図である。
【図２８】それによって製造された包装お握りを示す斜視図である。
【図２９】展開状態にある両収容器にフイルム状物を被せた状態を示す斜視図である。
【図３０】該フイルム状物が被せられて形成された収容凹部にご飯を収容した状態を示す斜視図である。
【図３１】両収容器のご飯の上面が当接状態となるように両収容器を屈曲部で折り曲げた状態を示す断面図である。
【図３２】両収容器を屈曲部で更に折り曲げた状態を示す断面図である。
【図３３】両収容器を完全に折り曲げて包装お握りを製造した状態を示す断面図である。
【図３４】その後に両収容器を開いた状態を示す斜視図である。
【発明を実施するための形態】
【実施例１】
【００２６】
図１〜４において本発明に係るお握り製造用具１は、上端開放の２個の収容器２，２が屈曲部３を介して開閉可能に連結されてなるもので、プラスチックや紙等の素材からなり、本実施例においてはプラスチック成形によって一体に形成されている。該両収容器２，２は、本実施例においては共に、平面視で四角形状を呈しており、矩形状をなす基片５の一面側の外周縁の全周囲に亘って立壁６が突設され、該基片５と該立壁６との間で、ご飯等の食材７を収容するための収容凹部９が形成されている。なお図３においては、該収容凹部９，９に食材７が収容された状態が示されている。
【００２７】
前記立壁６は、前記基片５の基端辺１０（本実施例においては該基片５の一方の長辺）で立設された基端立壁１１と、該基端立壁１１の両端から先側に向けて延長する如く前記基片５の両側辺１２，１２で立設された側部立壁１３，１３と、該側部立壁１３，１３の先端相互を連結する如く前記基片５の先端辺１５で立設された先端立壁１６とで構成されている。
【００２８】
そして前記基端立壁１１は、本実施例においては、製造すべきお握りの厚さの１／２の高さを有する。又、前記両側部立壁１３，１３の夫々の上縁１７，１７の高さは、その基端１９，１９では、前記基端立壁１１の上縁２０の高さに等しく設定され、且つ、先端２１，２１に向けて高さが徐々に高くなる。そして、該先端２１，２１の高さは、前記上縁１７の基端１９の高さの２倍に設定されており、前記先端立壁１６の上縁２２の高さに等しい。
【００２９】
かかる構成の両収容器２，２は、前記基端立壁１１，１１の上縁２０，２０相互が前記屈曲部３で連結されており、両収容器２，２を閉じるように該屈曲部３で折り曲げたときに、図４、図６に示すように、前記一方の収容器（以下、内側の収容器ともいう）２ａの前記側部立壁１３ａ，１３ａ及び前記先端立壁１６ａが、前記他方の収容器（以下、外側の収容器ともいう）２ｂの前記側部立壁１３ｂ，１３ｂ及び前記先端立壁１６ｂの内側に重なり得るよう、該他方の収容器２ｂのサイズが該一方の収容器２ａに比して稍拡大されている。そして前記内側の収容器２ａの前記先端立壁１６ａが、図１、図３に示すように起立した起立状態と、図２に示すように略９０度に開いた開き状態との角度範囲で、その下縁屈曲部２３で回動可能となされている。
【００３０】
然して、前記内側の収容器２ａの前記先端立壁１６ａを図１、図３に示す起立状態として、両収容器２，２を閉じるように前記屈曲部３で上向きに折り曲げると、図５に示すように、両収容器２ａ，２ｂの先端立壁１６ａ，１６ｂの上縁２２，２２が、小間隙Ｇ１を隔てて略同高さになる。そして、前記内側の収容器２ａの前記先端立壁１６ａと、前記外側の収容器２ｂの先端立壁１６ｂとの重なり量が大きくなるに伴い、両収容器２ａ，２ｂの向き合う側部立壁１３ａ，１３ｂ、１３ａ，１３ｂは、その全長に亘って徐々に大きく重なっていき、最終的には図４、図６、図７に示すように、前記内側の収容器２ａの前記側部立壁１３ａ，１３ａが、前記外側の収容器２ｂの前記側部立壁１３ｂ，１３ｂの内側に例えば０．６５ｍｍ程度の間隙Ｇ７を隔てて重なると共に、前記内側の収容器２ａの前記先端立壁１６ａが前記外側の収容器２ｂの前記先端立壁１６ｂの内側に例えば０．９ｍｍ程度の間隙Ｇ８を隔てて重なる。
【００３１】
両側部立壁１３，１３の上縁１７，１７は、図３に示すように、先端２１，２１に向けて高さが徐々に大となるため、図４に示すように、側部立壁の先端側程その重なり量が大きくなる。そして図３に示すように、両側部立壁１３，１３の上縁１７，１７の先端２１，２１の高さが、該上縁１７，１７の基端１９，１９の高さの２倍に設定されているため、図４に示すように、前記内側の収容器２ａの先端立壁１６ａの上縁２２が前記外側の収容器２ｂの基片５の内面の先端側（収容器２ｂの底面２４の先端側）２４ａに当接した状態において、前記内側の収容器２ａの前記先端立壁１６ａと、前記外側の収容器２ｂの先端立壁１６ｂは、前記間隙Ｇ８を置いて対向状態となり、図７に示すような直方体状の箱状収容体２５が形成される。
【００３２】
かかる構成を有するお握り製造用具１を用いて図８に示すような四角形状のお握り２６を製造する要領を説明すれば、図３に示すように、前記収容凹部９，９にご飯７ａを摺切り収容状態に収容して後、図５に示すように、両収容凹部９，９のご飯の上面２７，２７がその全面に亘って当接状態となるように左右の収容器２ａ，２ｂを閉じる方向に前記屈曲部３で折り曲げる。その後、両収容器２ａ，２ｂを図９に示すように前記屈曲部３で更に折り曲げると、前記内側の収容器２ａが前記外側の収容器２ｂ内に進入する。
【００３３】
この進入により、両収容器２ａ，２ｂに収容されているご飯７ａが両収容器２ａ，２ｂが形成する前記箱状収容体２５に拘束された状態で締め固められて（図４）、図８に示すようなお握り２６を製造できる。より具体的には、両収容器２ａ，２ｂに収容された各ご飯６ａ，６ａの上面２７，２７が接近するように該両収容器２ａ，２ｂが図５に示すように折り曲げられた状態で、該両収容器２ａ，２ｂを更に折り曲げると、前記内側の収容器２ａが前記外側の収容器２ｂ内に進入する。これに伴い図９に示すように、向き合う側部立壁１３ａ，１３ｂ、１３ａ，１３ｂが、その全長に亘って徐々に大きく重なっていくため、前記先端立壁１６ａ，１６ｂの重なりも徐々に大きくなっていくことと相俟って、押圧されるご飯が、両収容器２ａ，２ｂに拘束された状態で所要に締め固められる。
【００３４】
この締め固めは、次のように効果的に行われる。即ち、前記各収容器２ａ，２ｂには、図３に示すように、前記基端立壁１１の上縁２０の高さよりも上側をなす、三角形状の側部立壁部分２９と先端立壁部分３０とで加圧収容部３１が形成されているため、前記内側の収容器２ａが、図９に示すように前記外側の収容器２ｂ内に進入するに伴い、該加圧収容部３１に収容されている図３に示す加圧食材（加圧ご飯）３２が、両収容器２ａ，２ｂに収容されているご飯を締め固める際に加圧力を生じさせる。この加圧力により、前記箱状収容体２５（図４）が形成される過程で、該両収容器２ａ，２ｂの先側部分（両収容器２ａ，２ｂの閉じ側の部分）においてご飯の締め固めが生ずると共に、該先側部分３３のご飯の密度が高まるにつれて、形成されつつある箱状収容体２５の内部で、ご飯の移動が生じ、全体が適切に締め固められたお握り２６が得られることとなる。
【００３５】
その後、図１０に示すように、前記先端立壁１６ａを前記下縁屈曲部２３で屈曲させて略９０度開く。このように先端立壁１６ａを開いた状態で、例えば図１０に示すように、該お握り２６の下面部３５と前記内側の収容器２ａの底面３６との間に、例えばフラットな掬い部３７を有するスプーン３９の該掬い部３７を、図１０に矢印で示すように差し入れることにより、図１１に示すように、該お握り２６を該スプーン３９で掬って容易に取り出すことができる。この取り出しの際、図１０に示すように、開いた該先端立壁１６ａの上面４０をガイドとして該掬い部３７を前記底面３６に向けてスライドさせると、該掬い部３７を、前記お握り２６の下面部３５と前記内側の収容器２ｂの底面３６との間に容易に差し入れることができる。
【００３６】
図１２〜１３は、前記構成を有するお握り製造用具１を用いて握り寿司用のしゃり玉２６ａとしてのお握り２６（図１６）を製造する場合を示すものであり、前記外側の収容器２ｂに凹部形成突部４１が、その下面４２を該外側の収容器２ｂの底面４３に当接させて固定される。
【００３７】
該凹部形成突部４１は、例えば図１２に示すように、前記基端立壁１１の長さ方向（横方向）に延長する寄せ棟屋根状の突部として形成されており、平坦な長方形状を呈する下面４２は、図１３に示すように、前記外側の収容器２ｂの底面４３に例えば両面粘着テープを用いて固定される。
【００３８】
かかる構成を有するお握り製造用具１を用いて、前記しゃり玉２６ａを製造するに際しては、図１３に示すように、前記内側の収容器２ａの前記先端立壁１６ａを起立状態として前記両収容器２ａ，２ｂを開く。この開き状態で、図１３に示すように、該両収容器２ａ，２ｂの前記収容凹部９，９にご飯７ａを摺切り状態に収容して後、図１４に示すように、左右の収容器２ａ，２ｂを閉じる方向に前記屈曲部３を折り曲げる。
【００３９】
その後、両収容器２ａ，２ｂを図１５に示すように該屈曲部３で更に折り曲げると、前記内側の収容器２ａが前記外側の収容器２ｂ内に進入する。この進入により、前記したと同様に、両収容器２ａ，２ｂに収容されているご飯７ａが両収容器２ａ，２ｂが形成する箱状収容体２５に拘束された状態で締め固められて、図１６に示すようなしゃり玉２６ａを製造できる。その際、前記凹部形成突部４１が前記食材を押し付けるに伴って、その周辺の食材（ご飯７ａ）７が所要に締め固められつつ、お握り表面が徐々に凹んでいく。そして、前記両収容器２ａ，２ｂが前記箱状収容体２５を形成した図１６に示す状態で、お握り２６の表面４４（図１７（Ａ））の所要部位（例えば中央部位）に具収容凹部４５を、お握りの製造と同時に、固くて崩れにくい安定状態の凹部として形成できる。その後、図１７（Ａ）示すように前記外側の収容器２ｂを開く。これにより、前記凹部形成突部４１によって形成された台形状の具収容凹部４５が設けられたしゃり玉２６ａが得られることとなる。その後、該具収容凹部４５に具４６を収容することにより、図１７（Ｂ）に示す握り寿司４７が得られることとなる。
【００４０】
その後、図１８に示すように、前記先端立壁１６ａを前記下縁屈曲部２３で屈曲させて略９０度に開く。このように先端立壁１６ａを開いた状態で、例えば図１８に示すように、該握り寿司４７の下面部３５と前記一方の収容器２ａの底面３６との間に、例えばフラットな掬い部３７を有するスプーン３９の該掬い部３７を差し入れることにより、図１９に示すように、該握り寿司４７を該スプーン３９で掬って、形成された前記具収容凹部４５の形態を崩すことなく容易に取り出すことができる。かかる取り出し要領は図１０〜１１に基づいて説明したところと同様である。そして、このように取り出す際、図１８に示すように、開いた該先端立壁１６ａの上面４０をガイドとして該掬い部３７を前記底面３６に向けてスライドさせると、該掬い部３７を、前記握り寿司４７の下面部３５と前記内側の収容器２ａの底面３６との間に容易に差し入れることができる点も、前記と同様である。該掬い部３７が、例えば図１８に示すようにスリット４９が並設されてなるものであるときは、該掬い部３７に該握り寿司４７が載ったままの状態で該掬い部３７を寿司酢に浸せば、寿司酢が該しゃり玉の下面部３５に付着した状態となる。そのため、該掬い部３７に載った握り寿司４７を口に運べば、該握り寿司４を、一般の握り寿司のように酢味で食することができる。
【００４１】
なお、前記具収容凹部４５への具４６の収容は、前記握り寿司４７を食する前のどの段階で行われてもよい。図１８は、前記外側の収容器２ｂを開いた状態で具４６を収容した場合を示している。該具４６の収容は、スプーン等を用いて取り出したしゃり玉を皿等に載せた状態で行ってもよい。
【００４２】
図２０（Ａ）は、前記内側の収容器２ａの底面３６にご飯７ａを収容するに先立って、該底面３６上に、寿司酢を含有するゼリー状の寿司酢ゼリー５１を載せた状態を示している。図２０（Ｂ）は、その後に両収容器２ａ，２ｂにご飯７ａを収容した状態を示している。その後、図２０（Ｃ）に示すように、両収容器２ａ，２ｂを閉じるように該両収容器を前記屈曲部３で折り曲げる。然る後、前記外側の収容器２ｂを開いて具収容凹部４５に具４６を収容すると、図２０（Ｄ）に示すような握り寿司４７を得ることができる。該握り寿司４７は、しゃり玉２６ａの下面部５２に寿司酢ゼリー５１が付着されている。このようにして握り寿司４７を得る場合は、前記のようにしてしゃり玉を寿司酢に浸すことを要さず、該寿司酢ゼリー５１が付着した側を舌に載せれば、舌に寿司酢の味が伝わり、一般の握り寿司のようにこれを食することができる。前記寿司酢ゼリーは、例えば、寿司酢を寒天等で固まらせてジェル状にしたものや、寿司酢を片栗粉等でとろみのある状態とした流動体を以て形成することができる。
【００４３】
なお、前記寿司酢ゼリーをチョコレートソースやマヨネーズ等に代えれば、酢の味以外の味で食することもできる。その場合、これらが液体状であるときは、これらをゼラチンや寒天で適度に硬化させて前記下面部５２に対する定着性を向上させることができる。
【００４４】
図２１〜２２は、細長い直方体状のお握り製造用具１を用いる場合において、前記先端立壁１６ａを前記のように、起立状態（図２１（Ａ））と略９０度に開いた開き状態（図２１（Ｂ））との角度範囲で、下部の下縁屈曲部２３で回動可能とした場合を示すものである。両収容器２ａ，２ｂに収容されているご飯７ａが両収容器２ａ，２ｂが形成する箱状収容体２５に拘束された状態で締め固められて、図２２（Ａ）に示すようなお握り２６を製造できる。図２２（Ｂ）は、製造されたお握り２を収容器から取り出す際に前記先端立壁１６ａを略９０度開いた状態を示すものである。このように先端立壁１６ａを開き状態とすることによって、具収容凹部４５を有するお握り２６の取り出しを容易に行うことができる。このようにお握り２６を取り出す際、該お握り２６をその長さ方向で所要長さに切断しておけば、その取り出しがより容易となる。
【実施例２】
【００４５】
本発明は、前記実施例で示したものに限定されるものでは決してなく、「特許請求の範囲」の記載内で種々の設計変更が可能であるのはいうまでもない。その一例を挙げれば次のようである。
【００４６】
(1) 本発明において、前記両収容器２ａ，２ｂの前記収容凹部９，９に食材７、例えばご飯７ａを収容する際、前記のように両収容器２ａ，２ｂの夫々にご飯を摺切り状態に収容することの他、例えば図２３（Ａ）に示すように、前記内側の収容器２ａの収容凹部９にご飯７ａを盛り上がり状態に多めに収容し、外側の収容器２ｂの収容凹部９にはご飯７ａをそれ程収容しない状態で、或いは、該外側の収容器２ｂにご飯を全く収容しない状態で、両収容器２ａ，２ｂを閉じることとしてもよい。この場合も、内側の収容器２ａの収容凹部９には多めのご飯が収容されているため、両収容器２ａ，２ｂを閉じるように前記屈曲部３を折り曲げ、図２３（Ｂ）に示すように、一方の収容器２ａを他方の収容器２ｂ内に進入させるに伴い、該他方の収容器２ｂの前記収容凹部９内にも結果的にご飯７ａが入り込んだ状態となる。そのため、この場合も、前記両収容器２ａ，２ｂは共に、食材を収容する収容凹部を具えるものといえる。そして、この場合も前記と同様に、該両収容器２ａ，２ｂに収容されているご飯７ａを締め固める際に加圧力を生じさせることができ、これによって、適切に締め固められたしゃり玉２６ａ等としてのお握り２６が得られることとなる。
【００４７】
(2) 前記先端立壁１６ａは、例えば図２４に示すように、該先端立壁１６ａの両側部に設けた第１の係合部５３，５３と前記両側部立壁１３ａ，１３ａに設けた第２の係合部５４，５４の着脱可能の係合作用によって起立状態で保持されるように構成するのがよい。該第１の係合部５３と該第２の係合部５４は、凹凸嵌合方式等、該先端立壁１６ａを着脱可能の係合作用によって起立状態で保持し得る各種の係合手段を採用できる。
【００４８】
(3) 該先端立壁１６ａは、これを開くことによって前記しゃり玉２６ａを比較的容易に取り出し得るものであれば、必ずしも９０度まで開かなくてもよい。又、９０度よりも大きく開いてもよい。
【００４９】
(4) 図２５は、前記お握り製造用具１の両収容器２ａ，２ｂを閉じた後における、蓋となる前記外側の収容器２ｂの開きを容易化するために、該収容器２ｂの先端立壁１６ｂに、半円弧状の指掛け切欠部５５を設けた場合を示している。そしてこの場合も、該先端立壁１６ｂの上縁２２の高さが、前記両側部立壁１３ｂ，１３ｂの上縁１７，１７の先端２１，２１の高さに等しく設定されている、ことに該当する。  
【００５０】
(5) 図２６は、本発明に係るお握り製造用具１の一方の収容器２ａにおける両側部立壁１３ａ，１３ａの上縁１７の傾斜角度θ１と、他方の収容器２ｂの両側部立壁１３ｂ，１３ｂの上縁２７の傾斜角度θ２が異なる場合を示している。前記上縁２７の傾斜角度は、前記加圧収容部３１の容積を決定する要素であるため、お握りの締め固めの所望度合に応じて該傾斜角度を所要に設定できる。傾斜角度が大きいほど前記加圧収容部３１の容積が増すために、より硬く締め固められたお握りを製造できる。
【００５１】
この場合も、一方の収容器（前記内側の収容器）２ａの先端立壁１６ａを、前記と同様にして起立状態と少なくとも略９０度の開き状態との角度範囲で、その下縁屈曲部２３で回動可能とされている。なお該傾斜角度θ１，θ２は、何れの角度が大きくてもよい。又、何れか一方の傾斜角度はゼロであってもよい。このように構成する場合も、該先端立壁１６ａを開くことによって、製造されたお握り２６を容易に取り出すことができる。なお図２６においては、両収容器２ａ，２ｂの前記基端立壁１１，１１が略当接状態にある。
【００５２】
(6) 前記凹部形成突部４１は、前記のように外側の収容器２ａに設けるのではなく内側の収容器２ｂに設けてもよい。又、該内側の収容器２ａと外側の収容器２ｂの双方に設けてもよい。
【００５３】
(7) 本発明に係るお握り製造用具を構成する収容器に収容する食材としては、前記したご飯やバナナの他、麦飯、おから、ポテトやさつま芋等の芋類等、遡性変形して所定形状に締め固め可能な各種の食材を用いることができ、これらの締め固めによって所要のお握りを製造できる。
【符号の説明】
【００５４】
１  お握り製造用具
２  収容器
３  屈曲部
５  基片
６  立壁
７  食材
９  収容凹部
１１  基端立壁
１３  側部立壁
１６  先端立壁
２６  お握り
３１  加圧収容部
３２  加圧食材
３６  底面
３７  掬い部
３９  スプーン
４０  上面
４１  凹部形成突部
４５  具収容凹部
４６  具
【図１】
2018134434.tif 000003
【図２】
2018134434.tif 000004
【図３】
2018134434.tif 000005
【図４】
2018134434.tif 000006
【図５】
2018134434.tif 000007
【図６】
2018134434.tif 000008
【図７】
2018134434.tif 000009
【図８】
2018134434.tif 000010
【図９】
2018134434.tif 000011
【図１０】
2018134434.tif 000012
【図１１】
2018134434.tif 000013
【図１２】
2018134434.tif 000014
【図１３】
2018134434.tif 000015
【図１４】
2018134434.tif 000016
【図１５】
2018134434.tif 000017
【図１６】
2018134434.tif 000018
【図１７】
2018134434.tif 000019
【図１８】
2018134434.tif 000020
【図１９】
2018134434.tif 000021
【図２０】
2018134434.tif 000022
【図２１】
2018134434.tif 000023
【図２２】
2018134434.tif 000024
【図２３】
2018134434.tif 000025
【図２４】
2018134434.tif 000026
【図２５】
2018134434.tif 000027
【図２６】
2018134434.tif 000028
【図２７】
2018134434.tif 000029
【図２８】
2018134434.tif 000030
【図２９】
2018134434.tif 000031
【図３０】
2018134434.tif 000032
【図３１】
2018134434.tif 000033
【図３２】
2018134434.tif 000034
【図３３】
2018134434.tif 000035
【図３４】
2018134434.tif 000036